(57)【要約】【課題】  本発明は、携帯端末装置の利便性を損なうことのない蓄電池の充電中に、相手端末との間でファイル交換を自動的に行えるようにし、このファイル交換をファイルのデータ量に関係なく、また蓄電池の消耗なく実現することができる携帯端末装置を提供することを目的とする。【解決手段】  本発明の携帯端末装置１Ａは、データを記憶する第１記憶手段を有する情報処理端末と通信可能な携帯端末装置１Ａであって、データを記憶する記憶部６Ａと、当該携帯端末装置１Ａに備わる蓄電池が充電されていることを検出する充電検出部１３と、前記充電検出部１３により前記蓄電池が充電されていることを検出した場合、前記記憶部６Ａに記憶したデータを前記第１記憶手段に転送し、前記第１記憶手段に書き込むよう制御するファイル制御部８と、を備えるものである。【選択図】図１
2006261930.tif 000002
【特許請求の範囲】
【請求項１】
データを記憶する第１記憶手段を有する情報処理端末と通信可能な携帯端末装置であって、
データを記憶する第２記憶手段と、
当該携帯端末装置に備わる蓄電池が充電されていることを検出する充電検出手段と、
前記充電検出手段により前記蓄電池が充電されていることを検出した場合、前記第２記憶手段に記憶したデータを前記第１記憶手段に転送し、前記第１記憶手段に書き込むよう制御するファイル制御手段と、
を備える携帯端末装置。
【請求項２】
データを記憶する第１記憶手段を有する情報処理端末と通信可能な携帯端末装置であって、
データを記憶する第２記憶手段と、
当該携帯端末装置に備わる蓄電池が充電されていることを検出する充電検出手段と、
前記充電検出手段により前記蓄電池が充電されていることを検出した場合、前記第１記憶手段に記憶したデータを前記第２記憶手段に転送し、前記第２記憶手段に書き込むよう制御するファイル制御手段と、
を備える携帯端末装置。
【請求項３】
請求項１記載の携帯端末装置であって、
前記ファイル制御手段は、前記第２記憶手段に記憶したデータを前記第１記憶手段に転送し、前記第１記憶手段に書き込んだ後、前記第２記憶手段に記憶したデータを削除するよう制御する携帯端末装置。
【請求項４】
請求項２記載の携帯端末装置であって、
前記ファイル制御手段は、前記第１記憶手段に記憶したデータを前記第２記憶手段に転送し、前記第２記憶手段に書き込んだ後の、予め設定した時間内に、前記充電検出手段により前記蓄電池が充電されていることを再度検出した場合、前記第１記憶手段に記憶したデータを前記第２記憶手段に転送し、前記第２記憶手段に書き込むよう再度制御する携帯端末装置。
【請求項５】
請求項１から４のいずれか１項に記載の携帯端末装置であって、
前記蓄電池の充電量を検出する充電量検出手段を備え、
前記ファイル制御手段は、前記充電量検出手段により前記蓄電池の充電量が予め設定された充電量以上であることを検出した場合、前記転送および前記書き込みを行うよう制御する携帯端末装置。
【請求項６】
請求項１から４のいずれか１項に記載の携帯端末装置であって、
前記ファイル制御手段は、前記充電検出手段により前記蓄電池が充電されていることを検出した時点から予め設定された時間後、前記転送および前記書き込みを開始する携帯端末装置。
【発明の詳細な説明】
【技術分野】
【０００１】
本発明は、相手端末との間でネットワークを介してファイル交換を行う携帯端末装置に関する。
【背景技術】
【０００２】
従来から、各端末にＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ）プロトコルスタックやＮＦＳ（Ｎｅｔｗｏｒｋ  Ｆｉｌｅ  Ｓｙｓｔｅｍ）などのファイル交換ソフトウェアを搭載することにより、各端末間でファイルの送受信および交換が行われている。このようなファイル交換により、例えばコンピュータリソース（例えば、メモリの記憶領域）を共有することができ、端末どうしでの共同作業も可能となっている（例えば、特許文献１参照）。
【０００３】
一方、今日では、図１２に示すように、ＮＦＳのクライアントとして動作する携帯端末装置１と、ＮＦＳのサーバとして動作する相手端末（パソコン）２との間で、ＷＬＡＮのアクセスポイント３を介して無線通信により各記憶部内のファイルを転送または交換するファイル転送システムが提案されている。
【０００４】
図１３は、このファイル転送システムにおける前記携帯端末装置１のブロック図である。この携帯端末装置１は、入力部４と、表示部５と、記憶部（以下、自記憶部という）６と、通信部７と、ファイル制御部８とを備える。
【０００５】
これらのうち、入力部４は文字入力機能を持つ数値キーや機能キーを含む。表示部５は入力部４から入力した転送指示などの文字、数値等の入力情報や各種出力情報の画像等を表示する。
【０００６】
自記憶部６は、相手端末２との接続情報９、相手端末操作領域の指定情報１０、自端末領域の指定情報１１、および指定した自端末領域（ファイル格納領域）１２を持つ。
【０００７】
通信部７は、相手端末２の通信部（図示しない）との間で情報の通信やファイルの転送を無線で実施するものである。ファイル制御部８は、入力部４からの各種の入力情報や表示部５への出力情報の処理を制御し、自記憶部６に対する前記各種情報の読み書きを含む処理、および通信部７を通じての相手端末との情報通信処理をそれぞれ実行するように機能する。
【０００８】
このような携帯端末装置１を用いて、相手端末２との間でファイルを含むデータの転送を行う場合を、図１４のフローチャートを参照して説明する。
【０００９】
まず、携帯端末装置１の利用者は、入力部４から情報の転送を指示する。ファイル制御部８はこの指示を受けて、自記憶部６から相手端末接続情報を取り出し、この情報をもとに相手端末２に接続するように、通信部７へ指示を出す（ステップＳ１）。そして、その指示に従って、通信部７が相手端末２に接続されたか否かを判定する（ステップＳ２）。
【００１０】
ファイル制御部８は、通信部７が相手端末２に接続されたと判定した場合には、さらに通信部７を通して、相手端末２の記憶部（図示しない）のあらかじめ決められた領域を操作する。そして、自記憶部６内の自端末領域の指定情報１１によって指定された自端末領域１２の情報（ファイル）を、相手端末２のあらかじめ決められた領域に書き込む（ステップＳ３）。
【００１１】
このようにして、相手端末２へのファイルの書き込みを終了すると、ファイル制御部８は、通信部７に相手端末２との接続中止を指示し（ステップＳ４）、一連のデータの転送処理を終了する。また、ステップＳ２で相手端末２と接続できないと判定された場合にも、ファイル制御部８は、通信部７に相手端末２との接続中止を指示し（ステップＳ４）、一連のデータの転送処理を終了する。
【００１２】
【特許文献１】特開２００３‐１２２６３５号公報
【発明の開示】
【発明が解決しようとする課題】
【００１３】
しかしながら、このような従来のファイル転送システムにおいては、携帯端末１におけるファイルの転送ごとのマニュアル操作が煩わしく、また、ファイル転送が長時間になる場合や多量のデータを多重転送する場合には、電力損失が大きいために蓄電池の消耗が早く、データの転送が中断される場合がある。
【００１４】
本発明はこのような従来の問題を解決するためになされたものであり、携帯端末装置の利便性を損なうことのない蓄電池の充電中に、相手端末との間でファイル交換を自動的に行えるようにし、このファイル交換をファイルのデータ量に関係なく、また蓄電池の消耗なく実現することができる携帯端末装置を提供することを目的とする。
【課題を解決するための手段】
【００１５】
本発明の携帯端末装置は、データを記憶する第１記憶手段を有する情報処理端末と通信可能な携帯端末装置であって、データを記憶する第２記憶手段と、当該携帯端末装置に備わる蓄電池が充電されていることを検出する充電検出手段と、前記充電検出手段により前記蓄電池が充電されていることを検出した場合、前記第２記憶手段に記憶したデータを前記第１記憶手段に転送し、前記第１記憶手段に書き込むよう制御するファイル制御手段と、を備えるものである。
【００１６】
この構成により、充電検出部が携帯端末装置が充電台に載置され、かつ蓄電池への充電が開始されたことを検知したことを条件に、ファイル制御手段は自動的に自記憶部内の予め決められた領域のファイルを相手端末に転送する。このため、このファイル転送による蓄電池の消耗を回避することができる。また、ファイル転送が携帯端末装置を使用していない時間に行われるため、携帯端末装置の利便性が失われることもない。
【００１７】
また、本発明の携帯端末装置は、データを記憶する第１記憶手段を有する情報処理端末と通信可能な携帯端末装置であって、データを記憶する第２記憶手段と、当該携帯端末装置に備わる蓄電池が充電されていることを検出する充電検出手段と、前記充電検出手段により前記蓄電池が充電されていることを検出した場合、前記第１記憶手段に記憶したデータを前記第２記憶手段に転送し、前記第２記憶手段に書き込むよう制御するファイル制御手段と、を備えるものを含む。
【００１８】
この構成により、充電検出部は、携帯端末装置が充電台に載置され、かつ蓄電池への充電が開始されたことを検知したことを条件に、ファイル制御手段が自動的に相手端末のファイルを自端末側へ転送させて、自記憶部のあらかじめ決められた領域に書き込むことができる。このため、このファイル転送による蓄電池の消耗を回避することができる。また、ファイル転送が携帯端末装置を使用していない時間に行われるため、携帯端末装置の利便性が失われることもない。
【００１９】
また、本発明の携帯端末装置は、前記ファイル制御手段が、前記第２記憶手段に記憶したデータを前記第１記憶手段に転送し、前記第１記憶手段に書き込んだ後、前記記憶手段に記憶したデータを削除するよう制御するものを含む。
【００２０】
この構成により、携帯端末装置の自記憶部に別のファイルを書き込むことができる領域を効果的に確保できる。
【００２１】
また、本発明の携帯端末装置は、前記ファイル制御手段が、前記第１記憶手段に記憶したデータを前記記憶手段に転送し、前記第２記憶手段に書き込んだ後の、予め設定した時間内に、前記充電検出手段により前記蓄電池が充電されていることを再度検出した場合、前記第１記憶手段に記憶したデータを前記記憶手段に転送し、前記第２記憶手段に書き込むよう再度制御するものを含む。
【００２２】
この構成により、相手端末から転送されるファイルを自記憶部へ書き込んだ後にも設定時間内に引き続き新しいファイルが追加される場合にも対処でき、このような最新の追加ファイルをダウンロードすることができる。
【００２３】
また、本発明の携帯端末装置は、前記蓄電池の充電量を検出する充電量検出手段を備え、前記ファイル制御手段は、前記充電量検出手段により前記蓄電池の充電量が予め設定された充電量以上であることを検出した場合、前記転送および前記書き込みを行うよう制御するものを含む。
【００２４】
この構成により蓄電池に充電が行われないまま多量のデータを転送することを回避でき、従って、データ転送後に携帯端末装置を直ちには使用できないなどの不都合を回避できる。
【００２５】
また、本発明の携帯端末装置は、前記ファイル制御手段が、前記充電検出手段により前記蓄電池が充電されていることを検出した時点から予め設定された時間後、前記転送および前記書き込みを開始するものを含む。
【００２６】
この構成により、自端末の蓄電池への充電を十分に行わせた上で、ファイル転送のための通信処理に入らせることができるため、ファイルの転送や書き込み処理の、蓄電池の電力切れによる中断等を未然に回避できる。
【発明の効果】
【００２７】
本発明によれば、自端末本体が充電台に載置されて、蓄電池の充電が開始されると、相手端末の記憶部の予め決められた領域に自記憶部の予め決められた領域のファイルを自動的に転送して書き込むように構成したので、ユーザの手を煩わすことなく、またファイルのデータ量に関係なくファイル転送による蓄電池の消耗を回避でき、かつ蓄電池に対して必要量の充電を平行して実現できる携帯端末装置を提供することができる。
【発明を実施するための最良の形態】
【００２８】
以下、本発明による携帯端末装置の実施形態を、図面を用いて説明する。
（第１の実施形態）
本発明の第１の実施形態を図１に示す。図１は、本発明の携帯端末装置１Ａを示すブロック図である。
【００２９】
図１において、携帯端末装置１Ａは、入力部４と、表示部５と、記憶部（自記憶部）６Ａと、通信部７と、ファイル制御部８と、充電検出部１３と、充電量検出部１４とを備える。
【００３０】
これらのうち、入力部４は文字入力機能を持つ数値キーや機能キーを含み、本実施例では、ファイルの転送や書き込みを指示するのに利用される。表示部５は入力部４から入力した文字、数値等による指示や命令等の入力情報や画像による出力情報等を表示する。
【００３１】
自記憶部６Ａは、相手端末接続情報９、相手端末操作領域の指定情報１０、自端末領域の指定情報１１、および指定した自端末領域（ファイル格納領域）１２に加えて、時間情報Ａ、Ｂ、Ｃを持つ。
【００３２】
通信部７は相手端末２の通信部（図示しない）との間で情報の通信やファイルの転送を無線で実施するものである。
【００３３】
ファイル制御部８は、入力部４からのファイル転送等のための入力情報や表示部５への出力情報の出力処理をし、自記憶部６Ａに対する各種情報の読み書きを含む処理、通信部７を通じての相手端末２との情報通信処理等をそれぞれ実行するように機能する。
【００３４】
また、ファイル制御部８は、時間情報Ａ、Ｂを用いて通信の接続を制御し、時間Ｃを用いて相手端末２からのファイルの再度の転送、書き込みを制御するように機能する。
【００３５】
充電検出部１３は、蓄電池に対する充電が行われていることを検出するように機能する。充電量検出部１４は、蓄電池に対する充電電気量を検出するように機能する。
【００３６】
次に、このような構成の携帯端末装置１Ａを用いて、相手端末２との間でファイルを転送する手順を、図２のフローチャートを参照して説明する。
【００３７】
まず、携帯端末装置１Ａの利用者は、蓄電池に充電するために、その携帯端末装置１Ａの本体を、充電台に載置または収納する。これにより自端末本体内に収納された蓄電池には充電が開始される（ステップＳ１１）。続いて、ファイル制御部８は、自記憶部６Ａから相手端末接続情報を取り出し、この接続情報をもとに相手端末２に接続するように、通信部７へ指示を出す（ステップＳ１２）。そして、その指示に従って、通信部７が相手端末２に接続されたか否かを判定する（ステップＳ１３）。
【００３８】
ファイル制御部８は、通信部７が相手端末２に接続されたと判定した場合に、さらに通信部７を通して、相手端末２の記憶部（図示しない）のあらかじめ決められた領域を操作する。そして、自記憶部６Ａのあらかじめ決められた領域の指定情報１１で指定された自端末領域１２のデータ（ファイル）を、相手端末２の記憶部のあらかじめ決められた領域に書き込む（ステップＳ１４）。
【００３９】
このようにして、相手端末２への自記憶部６Ａ側のデータの書き込みが終了すると、ファイル制御部８は、通信部７に相手端末２との接続中止を指示し（ステップＳ１５）、一連のデータの転送処理を終了する。また、ステップＳ１３で相手端末２と接続できないと判定された場合にも、ファイル制御部８は、通信部７に相手端末２との接続中止を指示し（ステップＳ１６）、一連のデータの転送処理を終了する。
【００４０】
一方、ステップＳ１３で相手端末２と接続できない場合には、ファイル制御部８は通信部７に前記接続動作の中止を指示する（ステップＳ１６）。まあ、予め決められた時間Ａだけ待った後（ステップＳ１７）、充電検出部１３は蓄電池が充電中か否かを調べる（ステップＳ１８）。引き続き充電中である場合には、ステップＳ１２以下の処理を繰返し実行し、充電中でない場合には、データ処理を終了する。
【００４１】
このように、蓄電池の充電中に、相手端末２との間でファイル交換を自動的に行うことによって、ユーザの手を煩わすことなく、また、ファイルのデータ量に関係なく、ファイル転送による蓄電池の消耗を回避しながら、蓄電池に対して必要量の充電を継続できる。
【００４２】
（第２の実施形態）
図３は、本発明の第２の実施形態によるファイル転送手順を示すフローチャートである。この第２の実施形態では、通信部７を通して、相手端末２の記憶部の予め決められた領域を操作することにより、自記憶部６Ａの予め決められた領域のデータを、相手端末２の予め決められた領域に書き込んだ場合に（ステップＳ１４）、自記憶部６Ａの予め決められた領域のデータを削除するようにしている（ステップＳ１９）。この後に、ファイル制御部８が通信部７に接続動作の中止を指示する。
【００４３】
この第２の実施形態によれば、自記憶部６Ａに空き容量が確保できるため、別のファイルの記憶が追加可能となる。このほかの手順は、図２のフローチャートについて説明した場合と同じであるため、その重複する説明を省略する。
【００４４】
（第３の実施形態）
図４は、本発明の第３の実施形態によるファイル転送手順を示すフローチャートである。この第３の実施形態では、図２に示した手順と同じく、充電の開始を検出した後（ステップＳ１１）、相手端末２に接続するように通信部７に対し指示をする（ステップＳ１２）。相手端末２に接続された場合には（ステップＳ１３）、ファイル制御部８は、図２に示した手順とは異なり、通信部７を通して、相手端末２の記憶部の予め決められた領域を操作する。
【００４５】
これにより、この領域のデータを読み出し、自記憶部６Ａの予め決められた領域に書き込む（ステップＳ２０）。その後に、ファイル制御部８が通信部７に接続動作の中止を指示する。このほかの手順は、図２のフローチャートについて説明した場合と同じであるため、その重複する説明を省略する。
【００４６】
この第３の実施形態においては、相手端末２のファイルを自記憶部６Ａの領域に書き込んで自端末で利用することができ、この場合に、蓄電池の消耗を招かずに多量のデータを、自端末に取り込むことができる。
【００４７】
（第４の実施形態）
図５は、本発明の第４の実施形態によるファイル転送手順を示すフローチャートである。この第４の実施形態では、図４に示す手順と同じく、ファイル制御部８は充電の開始を検出した後（ステップＳ１１）、相手端末２に接続するように通信部７に指示する（ステップＳ１２）。また、相手端末２に接続された場合には（ステップＳ１３）、ファイル制御部８は、通信部７を通して、相手端末２の記憶部の予め決められた領域を操作する。これにより、この領域のデータを読み出し、自記憶部６Ａの予め決められた領域に書き込む（ステップＳ２０）。
【００４８】
その後、通信部７に接続動作の中止を指示し（ステップＳ１５）、続いて予め決められた時間Ｃだけ待つ（ステップＳ２１）。この時間経過後、蓄電池が充電中か否かを判定して（ステップＳ１８）、充電中である場合には、再び前記通信とこれに続くデータの自記憶部６Ａの予め決められた領域の書き込みを繰返し可能にする。なお、このほかの手順は、図４に示したものと同じであるので、その重複する説明を省略する。
【００４９】
この第４の実施形態によれば、相手端末２から取り込んだファイルの自記憶部６Ａへの書き込みを終了した後も、所定時間Ａ内は新しいファイルの追加がある場合があるので、このような場合にも、自記憶部６Ａへの書き込みをさらに確実に行うことができる。
【００５０】
（第５の実施形態）
図６は、本発明の第５の実施形態によるファイル転送手順を示すフローチャートである。図６では、図１に示すフローチャートにステップＳ２２の処理を追加している。この第５の実施形態では、ユーザが蓄電池の充電を開始させ、充電が開始されたことが充電検出部１３で検出されると（ステップＳ１１）、さらに充電量検出部１４が予め決められた量の充電が行われたか否かを、判定する（ステップＳ２２）。
【００５１】
そして、この判定の結果、蓄電池に前記所定量の充電が行われている場合には、ファイル制御部８は、自記憶部６Ａから予め設定された相手端末接続情報を取り出し、この情報をもとに相手端末２に接続するように通信部７に指示をする（ステップＳ１２）。一方、前記所定量の充電が行われていない場合には、予め決められた時間Ａだけ待って（ステップＳ１７）、充電中である場合には（ステップＳ１８）、所定量の充電が行われたか否かを繰返し調べる。これにより、蓄電池から安定的に電源電圧を受けて、通信部７への通信の指示およびファイル転送、書き込みを確実に制御することができる。
【００５２】
（第６の実施形態）
図７は、本発明の第６の実施形態によるファイル転送手順を示すフローチャートである。図７では、図１に示すフローチャートにステップＳ２３の処理を追加している。この第６の実施形態では、ユーザが蓄電池の充電を開始させ、充電が開始されたことが充電検出部１３で検出されると（ステップＳ１１）、予め決められた時間Ｂだけ待つ（ステップＳ２３）。この時間Ｂを経過した後に、自記憶部６Ａから、予め設定された相手端末２の接続情報を取り出し、この接続情報をもとに相手端末２に接続するように通信部７に指示する（ステップＳ１２）。
【００５３】
ファイル制御部８は、以下、図１に示すフローチャートと同じ手順で、ファイルの転送と書き込みを制御する。この第６の実施形態では、蓄電池に充電がある程度十分に行われた場合に、初めて前記通信およびファイルの転送、書き込みを行えるようにしている。従って、これらの通信および転送と書き込みが確実になる。
【００５４】
（第７の実施形態）
図８は、本発明の第７の実施形態によるファイル転送手順を示すフローチャートである。
【００５５】
図８では、ユーザが蓄電池の充電を開始させ、充電開始が充電検出部１３で検出されると（ステップＳ１１）、ファイル制御部８は自記憶部６Ａから、予め決められた相手端末接続情報９を取り出し、この情報をもとに相手端末２に接続するように通信部７に指示し、この指示とともに、相手端末２が通信路を通して自記憶部６Ａの予め決められた領域（自端末動作領域）を操作できるように設定する（ステップＳ２４）。
【００５６】
続いて、通信部７が相手端末２と接続できたか否かを判断し（ステップＳ１３）、接続できた場合には、通信部７を通して相手端末２に接続開始指示を送信する（ステップＳ２５）。
【００５７】
次に、ファイル制御部８は、通信部７を通して、相手端末２から操作終了を受信したかどうかを受信するまで繰返し判断し（ステップＳ２６）、受信した場合には処理を終了する。なお、通信部７が相手端末２と接続できないと判定された場合には（ステップＳ１３）、図２に示した場合と同様のステップＳ１６〜Ｓ１８の処理を実行する。この実施の形態によれば、ファイル制御部８の制御下で相手端末２が自記憶部６Ａ内の所定領域を操作することができる。
【００５８】
一方、携帯端末装置１Ａの第１乃至第６の実施形態に対応する相手端末２のファイル転送手順は、図９に示す通りである。これによれば、前記の手順に従って、携帯端末装置１Ａでは相手端末２への接続支持、ファイルの転送および書き込みを行う。これに対し、相手端末２では、通信路を通して記憶部の予め決められた領域（自端末操作領域）を操作できるように設定する（ステップ２７）。
【００５９】
また、携帯端末装置１Ａの第７の実施形態に対応する相手端末２のファイル転送手順は、図１０および図１１に示す通りである。これによれば、図１０に示すように、予め相手端末２が接続されるように通信部７に指示をする（ステップＳ２８）。一方、通信部７を通して、相手端末２から操作開始指示を受信した場合には、図１１に示す手順を実行する。
【００６０】
まず、記憶部６Ａから予め設定された相手端末接続情報９を取り出し、この情報をもとに通信部７を通して、相手端末２の記憶部の予め決められた領域を操作できるように設定する（ステップＳ２９）。
【００６１】
次に通信部７を通して、相手端末２の記憶部の予め決められた領域を操作することにより、自記憶部６Ａの予め決められた領域のデータを端末の予め決められた領域に書き込む。または、相手端末２の記憶部の予め決められた領域のデータを、自記憶部６Ａの予め決められた領域に書き込む（ステップＳ３０）。ファイル制御部８では、通信部７を通して相手端末２に操作終了を送信し（ステップＳ３１）、処理を終了する。
【産業上の利用可能性】
【００６２】
以上のように、本発明にかかる携帯端末装置は、ユーザの手を煩わすことなく、また、ファイルのデータ量に関係なく、ファイル転送による蓄電池の消耗を回避し、かつ蓄電池に対して必要量の充電を同時に実現できるという効果を有し、相手端末との間でネットワークを介してファイル交換を行う携帯端末装置等として有用である。
【図面の簡単な説明】
【００６３】
【図１】本発明の実施形態による携帯端末装置の構成を示すブロック図
【図２】本発明の第１の実施形態によるファイル転送手順を示すフローチャート
【図３】本発明の第２の実施形態によるファイル転送手順を示すフローチャート
【図４】本発明の第３の実施形態によるファイル転送手順を示すフローチャート
【図５】本発明の第４の実施形態によるファイル転送手順を示すフローチャート
【図６】本発明の第５の実施形態によるファイル転送手順を示すフローチャート
【図７】本発明の第６の実施形態によるファイル転送手順を示すフローチャート
【図８】本発明の第７の実施形態によるファイル転送手順を示すフローチャート
【図９】相手端末によるファイル転送手順を示すフローチャート
【図１０】相手端末による他のファイル転送手順を示すフローチャート
【図１１】相手端末による他のファイル転送手順を示すフローチャート
【図１２】一般的なファイル転送システムを示す概念図
【図１３】従来の携帯端末装置の構成を示すブロック図
【図１４】従来のファイル転送手順を示すフローチャート
【符号の説明】
【００６４】
１、１Ａ  携帯端末装置
２  相手端末
６、６Ａ  記憶部（自記憶部）
７  通信部
８  ファイル制御部
１３  充電検出部
１４  充電量検出部
【図１】
2006261930.tif 000003
【図２】
2006261930.tif 000004
【図３】
2006261930.tif 000005
【図４】
2006261930.tif 000006
【図５】
2006261930.tif 000007
【図６】
2006261930.tif 000008
【図７】
2006261930.tif 000009
【図８】
2006261930.tif 000010
【図９】
2006261930.tif 000011
【図１０】
2006261930.tif 000012
【図１１】
2006261930.tif 000013
【図１２】
2006261930.tif 000014
【図１３】
2006261930.tif 000015
【図１４】
2006261930.tif 000016